(57)【要約】【課題】本来の映像が持つ画質を落とさずに適切なＭＰＥＧノイズ低減処理を行うことができる、デジタル放送受信機を提供する。【解決手段】前記放送信号を受信し、同調及び復調を行うフロントエンドと、前記フロントエンドから出力された所望の映像ストリーム及び音声ストリームを抽出するデコーダと、抽出された前記映像ストリームのデコードを行い映像信号を出力する映像デコーダと、複数の特性を切り替えられるＭＰＥＧノイズ低減フィルタと、このフィルタの特性情報を保持する手段を設け、フィルタ特性を放送方式、放送局、番組内容、映像の大きさなどによって切り替え、映像信号のノイズを低減する放送受信機。【選択図】図１
2006060358.tif 000002
【特許請求の範囲】
【請求項１】
圧縮されたストリームからなる放送信号を受信する放送受信機であって、
前記放送信号を受信し、同調及び復調を行うフロントエンドと、
前記フロントエンドから出力された所望の映像ストリーム及び音声ストリームを抽出するデコーダと、
抽出された前記映像ストリームのデコードを行い映像信号を出力する映像デコーダと、
前記映像信号のノイズを低減するノイズ低減フィルタと、
前記映像信号に対応した前記ノイズ低減フィルタのフィルタ特性情報を保持するフィルタ特性保持手段と、
前記ノイズ低減フィルタのノイズ除去効果を前記フィルタ特性情報に基づいて設定する制御手段とを備えたことを特徴とする放送受信機。
【請求項２】
圧縮されたストリームからなる放送信号を受信する放送受信機であって、
前記放送信号を受信し、同調及び復調を行うフロントエンドと、
前記フロントエンドから出力された所望の映像ストリーム及び音声ストリームを抽出するデコーダと、
抽出された前記映像ストリームのデコードを行い映像信号を出力する映像デコーダと、
前記映像信号のノイズを低減するノイズ低減フィルタと、
前記所望の映像ストリームの選択を行う選択信号を入力する入力手段と、
前記選択信号に基づいて前記ノイズフィルタのノイズ除去効果を設定する制御手段とを備えたことを特徴とする放送受信機。
【請求項３】
前記放送受信機は、さらに、前記映像信号に対応した前記ノイズ低減フィルタのフィルタ特性情報を保持するフィルタ特性保持手段を備え、
前記入力された選択信号に基づいて前記フィルタ特性保持手段に保持された前記所望の映像ストリームに対応する前記フィルタ特性情報を検出し、前記ノイズ低減フィルタのノイズ除去効果の設定を検出したフィルタ特性情報に基づいて変更することを特徴とする請求項２記載の放送受信機。
【請求項４】
前記フィルタ特性情報は、前記放送信号の放送方式により異なるノイズ除去効果を示しており、前記制御手段は、前記フィルタ特性情報に基づいて前記放送信号の放送方式に対応した前記ノイズ低減フィルタのノイズ除去効果を設定することを特徴とする請求項１から３いずれか記載の放送受信機。
【請求項５】
前記フィルタ特性情報は、前記放送信号の放送局により異なるノイズ除去効果を示しており、前記制御手段は、前記フィルタ特性情報に基づいて前記放送信号の放送局に対応した前記ノイズ低減フィルタのノイズ除去効果を設定することを特徴とする請求項１または４いずれか記載の放送受信機。
【請求項６】
前記フィルタ特性情報は、前記放送信号の番組により異なるノイズ除去効果を示しており、前記制御手段は、前記フィルタ特性情報に基づいて前記放送信号の番組に対応した前記ノイズ低減フィルタのノイズ除去効果を設定することを特徴とする請求項１から５いずれか記載の放送受信機。
【請求項７】
前記フィルタ特性情報は、前記放送信号による放送される映像の大きさににより異なるノイズ除去効果を示しており、前記制御手段は、前記フィルタ特性情報に基づいて前記放送信号により放送される映像の大きさに対応した前記ノイズ低減フィルタのノイズ除去効果を設定することを特徴とする請求項１から６いずれか記載の放送受信機。
【請求項８】
前記フィルタ特性情報は、前記放送信号のフレームレートにより異なるノイズ除去効果を示しており、前記制御手段は、前記フィルタ特性情報に基づいて前記放送信号のフレームレートに対応した前記ノイズ低減フィルタのノイズ除去効果を設定することを特徴とする請求項１から７いずれか記載の放送受信機。
【請求項９】
前記ノイズ低減フィルタは、ＭＰＥＧ圧縮に起因するノイズを低減することを特徴とする請求項１から８いずれか記載の放送受信機。
【請求項１０】
請求項１乃至９記載の放送受信機において、ネットワーク網を経由してフィルタ特性情報サーバーと通信する通信ポートをさらに備え、前記フィルタ特性情報保持手段は前記通信ポート経由で前記外部サーバー機器から取得したフィルタ特性情報を保持することを特徴とする放送受信機。
【発明の詳細な説明】
【技術分野】
【０００１】
本発明は、デジタル放送受信機およびノイズの除去技術に関するものである。
【背景技術】
【０００２】
従来、デジタル放送受信機は一般的に図９のように構成される。図９は、標準的なデジタル放送受信機の一例である、デジタル放送受信セットトップボックス（ＳＴＢ）の構成を示すブロック図である。
【０００３】
以下、従来のデジタル放送受信機について図９を参照しながら説明する。１０はアンテナ、２０は同調・復調を行うフロントエンド、３０はトランスポートデコーダ、４０は映像デコーダ、５０は音声デコーダ、６０は映像出力部、７０は音声出力部である。
【０００４】
以上のように構成された図９の従来のデジタル放送受信機について、以下その動作を説明する。アンテナ１０で受信された放送信号は、フロントエンド２０に入力される。フロントエンド２０は目的の放送周波数に同調し、放送方式に対応した復調方式で復調を行う。フロントエンド２０から出力されたデータは、通常ＭＰＥＧ２−ＴＳ形式となっておりトランスポートデコーダ３０に入力される。トランスポートデコーダ３０では、ＭＰＥＧ−ＴＳから目的の番組の映像および音声のストリームが抽出され、出力される。トランスポートデコーダ３０から出力された映像ストリームは、映像デコーダ４０に入力され、映像データとしてデコードされる。
デコードされた映像データは映像出力部６０に入力され、アナログまたはデジタルの映像信号に変換され出力される。同様にトランスポートデコーダ３０から出力された音声ストリームは、音声デコーダ５０に入力され、音声データとしてデコードされる。デコードされた音声データは音声出力部７０に入力され、アナログまたはデジタルの音声信号に変換され出力される。
【０００５】
デジタル放送の映像は、通常ＭＰＥＧ方式によりフレーム間およびフレーム内の相関関係を利用して圧縮の上放送される。ＭＰＥＧ２規格の場合、フレーム内では水平８画素、垂直８画素のブロックと呼ばれる単位で離散コサイン変換（ＤＣＴ）が行われた後、高周波成分のデータを除去した上で、可変長符号化（ＶＬＥ）により圧縮される。フレーム間では輝度の場合水平１６画素、垂直１６画素、すなわち４ブロック分のマクロブロックの単位で動きベクトルを用いてフレーム間の差分をとり圧縮する動き補償型の圧縮方式がとられている。
圧縮率を上げていった場合、ブロックあるいはマクロブロックを単位として圧縮を行うことに起因してブロックの境界がモザイク状に見えてしまうブロックノイズや、ＤＣＴ後に高周波成分をカットしてしまうことに起因して、信号レベルが大きく変化した部分の周辺にモスキートノイズが目立つようになる。
これらのノイズに対しては、ブロックの境界における輝度あるいは色差信号レベルの変化度合いに応じてフィルタをかけたり、検出された輪郭の周辺に対してフィルタをかけたりするようなＭＰＥＧノイズ低減フィルタを用いる方法がある。これを用いたデジタル放送受信セットトップボックス（ＳＴＢ）の構成例を図１０に示す。図９との違いは、ＭＰＥＧノイズ低減フィルタ１００が追加されていることであり、映像デコーダ４０から出力された映像データがＭＰＥＧノイズ低減フィルタ１００に入力され、ブロックノイズやモスキートノイズの低減処理が施された後、映像出力部５０に入力される。
【特許文献１】特開２００２−２３２８９０号公報
【発明の開示】
【発明が解決しようとする課題】
【０００６】
しかしながら、ブロックノイズやモスキートノイズの低減フィルタは原理的に不要な高周波のノイズ成分を除去するローパスフィルタであるため、図１０のデジタル放送受信機では、圧縮率が低い場合や動きの少ない映像など、ＭＰＥＧノイズの低減処理があまり必要でない映像に対しても処理が行われ、本来の映像が持つ先鋭さが失われるという問題があった。
【０００７】
従って、本発明の目的は、さまざまな種類のデジタル放送の映像に対して、画質を劣化させることなく、且つ、適切なＭＰＥＧノイズ低減処理を行うことができる、デジタル放送受信機を提供することである。
【課題を解決するための手段】
【０００８】
本願発明は、圧縮されたストリームからなる放送信号を受信する放送受信機であって、
放送信号を受信し、同調及び復調を行うフロントエンドと、フロントエンドから出力された所望の映像ストリーム及び音声ストリームを抽出するデコーダと、抽出された映像ストリームのデコードを行う映像デコーダと、映像デコーダから出力された映像信号のノイズを低減するノイズ低減フィルタと、映像信号に対応したノイズ低減フィルタのフィルタ特性情報を保持するフィルタ特性保持手段と、ノイズ低減フィルタのノイズ除去効果をフィルタ特性情報に基づいて設定する制御手段とを備えたことを特徴とする放送受信機である。
【０００９】
これにより、さまざまな種類のデジタル放送の映像に対して、適切なノイズ除去処理を行うことができるというものである。
【００１０】
さらに、本願発明は、所望の映像ストリームの選択を行う入力手段を備え、入力手段の入力に基づいて、ノイズ低減フィルタのノイズ除去効果の設定を所望の映像ストリームに対応したフィルタ特性情報に変更する制御手段とを備えたことを特徴とする放送受信機である。
【００１１】
これにより、入力手段により所望の映像のストリームを選択することのみに起因して、適切なノイズ除去効果を設定することが可能となり、復号部等により画像を復号処理する際に、転送レート及び動き量を検出する構成が不要になるというものである。
【００１２】
さらに、本願発明は、さらに、ネットワーク網を経由してフィルタ特性情報サーバーと通信する通信ポートをさらに備え、フィルタ特性情報保持手段は通信ポート経由で外部サーバー機器から取得したフィルタ特性情報を保持することを特徴とする放送受信機である。
【００１３】
これにより、フィルタ特性保持手段に保持されていないフィルタ特性情報を有する新たな種類のデジタル放送の映像に対しても、外部サーバー機器から対応するフィルタ特性情報を取得することが可能になるため、適切なノイズ除去処理を行うことができるというものである。
【発明の効果】
【００１４】
本発明によれば、ノイズ除去フィルタの特性を切り替えて、受信する映像の画質を劣化させることなく、且つ、適切なノイズ除去を容易に行うことができるデジタル放送受信装置を提供することができる。
【発明を実施するための最良の形態】
【００１５】
以下、本発明に係るデジタル放送受信機の一例として、デジタル放送受信セットトップボックス（ＳＴＢ）と、そのＭＰＥＧノイズ低減方法について説明する。
【実施例１】
【００１６】
本発明のデジタル放送受信機およびＭＰＥＧノイズ低減方法に関する、第１の実施の形態例について図１を用いて説明する。図１において、１０はアンテナ、２０は同調・復調を行うフロントエンド、３０はトランスポートデコーダ、４０は映像デコーダ、５０は映像出力部、６０は音声デコーダ、７０は音声出力部、１０１はＭＰＥＧノイズ低減フィルタで、ブロックノイズ、モスキートノイズ等の検知感度やフィルタの強度、遮断周波数等のパラメタに関して少なくとも２種類以上に設定することが可能である。１１０はＭＰＥＧノイズ低減フィルタの動作特性を決定する少なくとも２種類以上のフィルタ特性情報、１２０はフィルタ特性情報１１０を保持するフィルタ特性保持手段、１３０は制御手段である。
【００１７】
以上のように構成された図１のデジタル放送受信機について、以下その動作を説明する。
【００１８】
アンテナ１０で受信された放送信号は、フロントエンド２０に入力される。フロントエンド２０は目的の放送周波数に同調し、放送方式に対応した復調方式で復調を行う。フロントエンド２０から出力されたデータは、通常ＭＰＥＧ２−ＴＳ形式となっておりトランスポートデコーダ３０に入力される。トランスポートデコーダ３０では、ＭＰＥＧ−ＴＳから目的の番組の映像および音声のストリームが抽出され、出力される。トランスポートデコーダ３０から出力された映像ストリームは、映像デコーダ４０に入力され、映像データとしてデコードされる。
デコードされた映像データは、ＭＰＥＧノイズ低減フィルタ１０１に入力されて、ブロックノイズ、モスキートノイズ等の低減処理が行われた後、映像出力部５０に入力され、アナログまたはデジタルの映像信号に変換され出力される。同様にトランスポートデコーダ３０から出力された音声ストリームは、音声デコーダ５０に入力され、音声データとしてデコードされる。デコードされた音声データは音声出力部７０に入力され、アナログまたはデジタルの音声信号に変換され出力される。
【００１９】
このとき、制御手段１３０は、フィルタ特性情報保持手段１２０に格納されているフィルタ特性情報１１０に基づいてＭＰＥＧノイズ除去フィルタ１０１に設定する。ここで、本願発明においては、フィルタ特性情報１１０をＭＰＥＧノイズ除去フィルタ１０１に設定する規則については、以下のような方法が適切であることを見出した。
【００２０】
1つ目は、受信する放送方式によってフィルタ特性を切り替える方法である。たとえば、多チャンネル放送を行うためチャネルあたりのビットレートが低くノイズが多く含まれる、ＣＳデジタル放送に対してはノイズ除去を積極的に行い、ビットレートが高く高画質のＢＳデジタル放送に対しては、ノイズ除去をあまり行わないように設定することが考えられる。このように、放送方式ごとにフィルタ特性情報を変更することにより、放送方式ごとに適切なノイズ低減フィルタのノイズ除去効果を変更することが可能になるとともに、ノイズ低減が不必要な放送方式に対しては、ノイズ低減処理による画質の劣化を防止することが可能になる。
【００２１】
２つ目は、受信する放送局によってフィルタ特性を切り替える方法である。各放送局で使用するＭＰＥＧエンコード処理の設備により、発生するノイズの量が異なるので、ノイズの多く発生する放送局に対して強くノイズ除去を行うことが考えられる。このように、放送局ごとにフィルタ特性情報を変更することにより、放送局ごとに適切なノイズ低減フィルタのノイズ除去効果を変更することが可能になるとともに、ノイズ低減が不必要な放送局に対しては、ノイズ低減処理による画質の劣化を防止することが可能になる。
【００２２】
３つ目は、放送される番組の種類によりフィルタ特性を切り替える方法である。デジタル放送では、映像、音声のストリームの他に、電子番組表（ＥＰＧ）などで使用する番組情報がＳＩとして送信されており、番組ジャンルの情報を得ることができる。これを利用して、動きが激しくノイズが発生しやすいスポーツ番組で強くノイズ除去を行うことが考えられる。このように、番組ごとにフィルタ特性情報を変更することにより、番組ごとに適切なノイズ低減フィルタのノイズ除去効果を変更することが可能になるとともに、ノイズ低減が不必要な番組に対しては、ノイズ低減処理による画質の劣化を防止することが可能になる。
【００２３】
４つ目は、映像のサイズによってフィルタ特性を切り替える方法である。たとえばＢＳデジタル放送では、時間帯によって１チャネルのＨＤ放送か３チャネルのＳＤ放送かを切り替えて放送することがあるが、ＨＤの１０８０ｉとＳＤの４８０ｉとを比較した場合、解像度の差はおよそ６：１であるので、解像度あたりのビットレートでは４８０ｉの方が高く、ノイズも発生しにくい。映像サイズの情報は、映像ストリーム中のシーケンスヘッダに入っており、これにしたがってノイズ除去を行うことが考えられる。このように、映像の大きさごとにフィルタ特性情報を変更することにより、映像の大きさごとに適切なノイズ低減フィルタのノイズ除去効果を変更することが可能になるとともに、ノイズ低減が不必要な映像の大きさの映像信号については、ノイズ低減処理による画質の劣化を防止することが可能になる。なお、ＨＤ放送又はＳＤ放送に加えて、ＬＤＴＶ（Low Definition Television、携帯端末向け）により区別する構成としてもよい。
【００２４】
５つ目は、フレームレートによってフィルタ特性を切替える方法である。例えば、ＢＳデジタル放送では、同じＳＤ放送の場合であっても、４８０ｉと４８０ｐとを比較した場合、４８０ｉのフレーム周波数が５９．９４[Hz]であって、４８０ｐのフレーム周波数は２９．９７[Hz]であるため、４８０ｐのフレームレートは４８０ｉの２倍であり、ノイズが発生しやすい。これを利用して、４８０ｐに対しては、４８０ｉよりも積極的にノイズ除去を行なうことが考えられる。このように、フレームレートによってノイズフィルタにより必要なノイズ除去効果は異なるため、フレームレートごとにフィルタ特性情報を変更することにより、フレームレートごとに適切なノイズ低減フィルタのノイズ除去効果を変更することが可能になるとともに、ノイズ除去が不必要なフレームレートのデータに対しては、ノイズ低減処理による画質の劣化を防止することが可能になる。
【００２５】
本実施形態によれば、以上のような方法でＭＰＥＧノイズ除去フィルタの特性を切り替えることで、受信する映像の画質を落とさずにＭＰＥＧノイズ除去を行うことができる。なお、これら複数の方法を組合せて使用することも可能である。例えば、放送局と番組の情報を組み合わせることにより、より正確なノイズ低減フィルタのノイズ除去効果を設定することが可能になる。
【００２６】
次に、所望の番組が選択された場合のノイズ除去の処理について、第３の制御方法である番組の種類によってフィルタの特性を変更する場合を一例として、図２から図６を参照して説明する。図２は、ユーザーにより入力手段を介して所望の番組が入力された場合の放送受信機の処理について説明したフローチャートである。Ｓ１０１において、ユーザーにより入力手段を介して所望の番組の選択信号を受信する。次に、Ｓ１０２からＳ１０５から選択された番組を識別する。これらＳ１０２からＳ１０５を通して、番組を識別することができなかった場合には、この処理を終了する。一方、Ｓ１０２からＳ１０５の処理を通して、入力手段を介して選択された所望の番組を認識した場合には、Ｓ１０６において、番組に対応するフィルタ特性情報を取得する。このフィルタ特性情報については、図４を参照して後述する。次に、Ｓ１０６において、番組に対応したフィルタ特性情報を取得した後、Ｓ１０７において、ノイズ除去手段のノイズ除去効果の設定を行うことにより、このノイズ除去の処理を終了する。
【００２７】
次に、図３を参照して、フィルタ特性情報について説明する。図１のフィルタ特性情報保持手段１２０には、図３に示すように番組に対応した転送レート及び動き量についてのフィルタ特性情報１１０が保持されている。例えば、番組Ａの場合には、転送レートは１３Ｍｂｐｓであり、動き量は例えば５段階で識別されており、番組Ａの場合には２となっている。同様に、番組Ｂの場合には、転送レートは９Ｍｂｐｓであり、動き量は４であり、番組Ｃの場合には、転送レートは２１Ｍｂｐｓであり、動き量は１であり、番組Ｄの場合には、転送レートは１５Ｍｂｐｓであり、動き量は２となっている。なお、動き量を示す５段階は、動き量が最大のものを５としており、動き量が最小のものを１としている。
【００２８】
次に、図４は、図３におけるフィルタ特性情報に基づいて算出されるノイズ除去効果と転送レート及び動き量との関係を示している。図４は、縦軸にノイズ除去手段による映像データのノイズ除去効果を示しており、横軸にノイズ除去手段に転送された映像信号の転送レートを示している。さらに、この図４においては、映像信号の動き量の影響も考慮してノイズ除去効果が変更されている。例えば、番組Ａの場合には、転送レートが１３Ｍｂｐｓであり、動き量が２であるため、ノイズ除去効果は、「弱」の領域に入るものである。同様に、ユーザーにより選択された番組が番組Ｂの場合には、転送レートは９Ｍｂｐｓであり、動き量は４であるため、ノイズ除去効果は、「強」の領域に入るものである。さらに、ユーザーにより選択された番組が番組Ｃの場合には、転送レートは２１Ｍｂｐｓであり、動き量は１であるため、ノイズ除去効果は、「ＯＦＦ」の領域に該当する。さらに、ユーザーにより選択された番組が番組Ｄの場合には、転送レートは１５Ｍｂｐｓであり、動き量は２であるため、ノイズ除去効果は、「中」の領域に該当するものである。
【００２９】
次に、図５を参照して、上述したフィルタ特性情報保持手段１２０に保持されたフィルタ特性情報１１０から導出されたノイズ除去効果に基づいたノイズ低減フィルタ１０１におけるノイズ除去効果の設定について説明する。図５に示すように、上述した転送レートと動き量との関係からノイズ除去効果を「ＯＦＦ」、「弱」、「中」、「強」の４種類に分類することが可能になる。ここで、図５において、「ＯＦＦ（ノイズ低減フィルタによるノイズ低減の処理を行わない）」の場合には、ノイズ低減フィルタに対して、「００」の信号を出力する。同様に、「弱（ノイズ低減フィルタによる弱度のノイズ低減処理を行う）」の場合には、ノイズ低減フィルタに対して、「０１」の信号を出力する。さらに、「中（ノイズ低減フィルタによる中程度のノイズ低減処理を行う）」の場合には、ノイズ低減フィルタに対して、「１０」の信号を出力する。さらに、「強（ノイズ低減フィルタによる強度のノイズ低減処理を行う）」の場合には、ノイズ低減フィルタに対して「１１」の信号を出力する。
【００３０】
次に、制御信号から上述した信号を受けたノイズ低減フィルタ１０１の動作について図６を参照して説明する。最初にノイズ低減フィルタ１０１は、Ｓ２０１において、制御手段１３０から出力されたノイズ除去効果の程度を示す信号を出力する。次に、Ｓ２０２からＳ２０５においてノイズ除去効果の程度を示す信号が００、０１、１０、１１のいずれであるかを検出する。
【００３１】
さらに、ノイズ低減フィルタ１０１は、Ｓ２０２において、ノイズ除去効果を示す信号が００である場合には、ノイズ低減フィルタ１０１をキャンセルすることにより、ノイズ低減フィルタにおいてノイズ除去を行うことなく、映像信号を映像出力処理部５０に出力することとなる。このことにより、圧縮率が低い場合や動き量が少ない映像信号に対してノイズ除去による画質の劣化を生じさせることなく、映像出力処理部５０に映像信号を出力することとなる（Ｓ２０６）。
【００３２】
一方、Ｓ２０３において、ノイズ除去効果の程度を示す信号が０１であることを検出した場合には、ノイズ低減フィルタ１０１におけるノイズ除去効果を弱度に設定することにより、映像信号に対して、弱度のノイズ除去を行う（Ｓ２０７）。また、同様に、Ｓ２０４において、ノイズ除去効果を示す信号が１０である場合には、ノイズ低減フィルタ１０１におけるノイズ除去効果を中程度のノイズ除去効果に設定することにより、映像信号に対して中程度のノイズ除去を行う（Ｓ２０８）。さらに、Ｓ２０５において、ノイズ除去効果の程度を示す信号が１１であることを検出した場合には、ノイズ低減フィルタ１０１におけるノイズ低減フィルタにおけるノイズ除去効果を強度に設定することにより、映像信号に対して強度のノイズ除去を行う（Ｓ２０９）。
【００３３】
このように、フィルタ特性情報保持手段１２０に各番組に対してビットレート及び動き量に関するフィルタ特性情報１１０を格納しておくことにより、各番組に対応した適切なノイズ除去効果によりノイズ除去を行なうことが可能になり、さらに、圧縮率が低い場合や動き量が少ない映像信号に対して、ノイズ除去による画質の劣化を防止することが可能になる。
【００３４】
さらに、本願発明においては、図７に示すように、入力手段１３５により入力された情報に基づいてフィルタ特性情報１１０の選択を行う構成とすることも可能である。具体的には、例えば、入力手段１３５によりユーザーが番組Ｂを選択した場合には、入力信号から選択信号をデジタル放送受信機に入力する。次に、デジタル放送受信機の制御手段１３０は、フィルタ特性情報保持手段１２０におけるフィルタ特性情報１１０の番組Ｂの情報を抽出する。次に、図３のフィルタ特性情報に基づいて、図４に示すように、番組Ｂに対しては、強度のノイズ除去効果が必要であることを算出する。次に、制御手段１３０は、図５に示すように、ノイズ除去フィルタ１０１に対して１１の信号を出力する。さらに、制御手段１３０は、図６に示すように、ノイズ除去フィルタ１０１のノイズ除去効果を強度に設定する。これにより、番組Ｂの映像信号に対して、ノイズ除去フィルタ１０１のノイズ除去効果を強度に設定することが可能になる。
【００３５】
このような構成により、ユーザーから入力手段を介して入力された情報のみに基づいてノイズ低減フィルタ１０１のノイズ除去効果を変更することが可能となり、転送レート又は動き量に関する情報を検出する構成を設ける必要がなく、デジタル放送受信機の構成も簡単にすることが可能になる。さらに、本発明においては、入力手段１３５により入力された選択信号に基づいてノイズ低減フィルタのノイズ除去効果を設定することが可能になり、受信したストリームから転送レート等の情報を検出する必要がないため、放送されるストリームを受信していない場合であっても、独立してノイズ低減フィルタのノイズ除去効果を設定することが可能になり、ストリーム処理の時間を短縮することも可能となる。
【実施例２】
【００３６】
次に、第２の発明について図８を参照して説明する。この実施例２は、上述したフィルタ特性情報の取得方法について説明するものである。
【００３７】
本発明のデジタル放送受信機およびＭＰＥＧノイズ低減方法に関する、第２の実施の形態例について図８を用いて説明する。図８において、１０はアンテナ、２０は同調・復調を行うフロントエンド、３０はトランスポートデコーダ、４０は映像デコーダ、５０は音声デコーダ、６０は映像出力部、７０は音声出力部、１０１はＭＰＥＧノイズ低減フィルタ、１１０、１１１はＭＰＥＧノイズ低減フィルタの動作特性を決定する少なくとも２種類以上のフィルタ特性情報、１２１はフィルタ特性情報１１０を保持するフィルタ特性保持手段、１３１は制御手段、１４０は通信ポート、２００はネットワーク網、２１０はフィルタ特性情報サーバーである。
【００３８】
以上のように構成された図８のデジタル放送受信機について、以下その動作を説明する。なお、第１の実施の形態例とは一部の動作のみ異なるので、同じ動作の部分については説明を省略する。
【００３９】
フィルタ特性情報サーバー２１０には、最新のフィルタ特性情報１１１が蓄積されている。制御手段１３１は、定期的あるいはユーザーの操作などにより、ネットワーク網２００を経由してフィルタ特性情報サーバー２１０からフィルタ特性情報１１１をダウンロードするよう、通信ポート１４０に対して指示する。取得されたフィルタ特性情報１１１により、フィルタ特性情報保持手段１２１中のフィルタ特性情報１１０を更新する。
これにより、ＭＰＥＧノイズ低減フィルタ１０１は、放送局別にフィルタ特性情報１１０を持っている場合に新たに開局した放送局用のパラメタを追加したり、放送局側でのエンコードアルゴリズムの改善などによりノイズの発生が抑えられるようになった場合に、ＭＰＥＧノイズ低減フィルタ１０１の強さを弱めるような対応をしたりするなど、環境の変化に対応しながら、最適なＭＰＥＧノイズの低減処理を行うことが可能になる。
【００４０】
なお、これらの各番組の転送レート及び動き量の情報は、予めフィルタ特性情報保持手段において保持しておく方法以外に、放送信号に含まれる情報から抽出する構成とすることも可能である。この場合であっても、放送信号から転送レートの情報を抽出するのみで実現することが可能であり、例えば、復号部により画像を復号処理する際に転送レート及び動き量を検出する構成よりも簡単な構成で実現することが可能になる。
【産業上の利用可能性】
【００４１】
以上のように、本発明によれば、ＭＰＥＧノイズ除去フィルタの特性を切り替えて、受信する映像の画質を落とさずにＭＰＥＧノイズ除去を行うことができ、デジタル放送受信機およびデジタル放送受信機能を持つ録画機器などにも応用できる。
【図面の簡単な説明】
【００４２】
【図１】第１の実施形態にかかるデジタル放送受信機の構成を示すブロック図
【図２】第１の実施形態にかかるデジタル放送受信機の処理のフローチャート
【図３】第１の実施形態にかかる各番組のフィルタ特性情報を示す図
【図４】第１の実施形態にかかる転送レート及び動き量とノイズ除去効果の関係を示す図
【図５】第１の実施形態にかかるノイズ除去効果の設定を示す図
【図６】第１の実施形態にかかるノイズ除去効果の設定方法を示すフローチャート
【図７】第１の実施形態にかかるデジタル放送受信機のブロック図
【図８】第２の実施形態にかかるデジタル放送受信機のブロック図
【図９】従来のデジタル放送受信機の構成を示すブロック図
【図１０】従来のデジタル放送受信機の構成を示すブロック図
【符号の説明】
【００４３】
１０    アンテナ
２０    フロントエンド
３０    トランスポートデコーダ
４０    映像デコーダ
５０    映像出力部
６０    音声デコーダ
７０    音声出力部
１００、１０１    ＭＰＥＧノイズ低減フィルタ
１１０、１１１    フィルタ特性情報
１２０、１２１    フィルタ特性情報保持手段
１３０、１３１    制御手段
１３５    入力手段
１４０    通信ポート
２００    ネットワーク網
２１０    フィルタ特性情報サーバー
【図１】
2006060358.tif 000003
【図２】
2006060358.tif 000004
【図３】
2006060358.tif 000005
【図４】
2006060358.tif 000006
【図５】
2006060358.tif 000007
【図６】
2006060358.tif 000008
【図７】
2006060358.tif 000009
【図８】
2006060358.tif 000010
【図９】
2006060358.tif 000011
【図１０】
2006060358.tif 000012